(57)【要約】【課題】  尿失禁に悩む人は多く特に女性はもともと尿道の周囲にある括約筋が弱いうえに出産や加齢で骨盤底筋が緩み、運動やくしゃみなどによってお腹に圧力がかかると尿が漏れる腹圧性尿失禁につながる。それでも骨盤底筋群を鍛えるようにすれば改善をできるとされ、そのための骨盤底筋を締めるという運動も提唱されているが、実行している感覚に乏しく改善までに至らない人が多い。【解決手段】  肛門付近から大腿部にかけて挟みやすいように弓型状に曲がり、臀部の溝に納まる薄さの弓型物体で、筋力の個人差や鍛錬の目標に応じて重さを変えられるようにおもりを入れる空間やおもりを吊り下げられる穴を設けた。本発明本体を落下させないように挟むことにより徐々に骨盤底筋が鍛えられ尿失禁改善につながる。又本体器具内部に磁気発生体を取り付け、神経を刺激して骨盤底筋を強くすることも期待できる。【選択図】  図１
2010279401.tif 000002
【特許請求の範囲】
【請求項１】
骨盤底筋群を強化するための骨盤底筋群強化トレーニング器具であって、肛門付近から大腿部にかけて挟みやすいように臀部の溝に沿うように弓型に形成し、器具本体の所定の位置におもりを追加することによって器具本体の重さを調節できるようにした、おもり調節手段を設けたことを特徴とする骨盤底筋群強化トレーニング器具。
【請求項２】
おもり調節手段は器具本体におもりを入れるための複数の凹部または貫通孔を設けたことを特徴とする請求項１に記載の骨盤底筋群強化トレーニング器具。
【請求項３】
おもり調節手段はおもりを吊り下げるための複数の係止孔を設けたことを特徴とする請求項１又は２に記載の骨盤底筋群強化トレーニング器具。
【発明の詳細な説明】
【技術分野】
【０００１】
本発明は尿失禁を予防、治療するのに効果的な骨盤底筋群の強化に用いられる骨盤底筋群強化トレーニング器具に関するものである。
【背景技術】
【０００２】
尿失禁に悩む人は多く四十歳以上の女性の３分の１が軽重の差こそあれ尿失禁を経験していると言われており、女性においては深刻である。女性はもともと尿道の周囲にある括約筋が弱いうえに出産や加齢で骨盤底筋が緩み、運動やくしゃみなどによってお腹に圧力がかかると尿が漏れる腹圧性尿失禁が多数を占める。骨盤底には会陰部（この場合、尿道及び膣下方３分の１の部分をいう）を中心に各種の括約筋の網が張り巡らされている。尿道括約筋、膣括約筋及び肛門括約筋等の括約筋は一つの筋肉を収縮するようにしむければ他のすべての筋肉も連動して収縮するのである。すなわち腹圧性尿失禁に見られる括約機能が低下した骨盤底筋群の強化が尿失禁を予防し、さらには治療へと導いてくれるのである。そのような観点から考案されたものが医学的に奨励されている骨盤底筋体操である。骨盤底筋群の収縮訓練を毎日１００回程度約３カ月行うと重症例を除いて大多数の腹圧性尿失禁は治癒する。しかしながら括約筋群を収縮実行している感覚に乏しく治療までに至らない人が多数である。
【先行技術文献】
【特許文献】
【０００３】
【特許文献１】米国特許第２５０７８５８号公報
【特許文献２】米国特許第２５４１５２０号公報
【特許文献３】特開昭６３−２９４８５０号公報
【特許文献４】特開２００１−１０４５１５号公報
【発明の概要】
【発明が解決しようとする課題】
【０００４】
従来、膣内に挿入して膣筋を鍛練する装置として、米国特許第２５０７８５８号（特許文献１）、同米国特許第２５４１５２０号（特許文献２）、特開昭６３−２９４８５０号（特許文献３）等にみられるが膣内への挿入が容易ではなかったり膣壁等に損傷を招くおそれがあるものであり、女性には極めて抵抗があり、なかなか実行しがたいものであった。特開２００１−１０４５１５号（特許文献４）に記載の用具は弾性のある球体ベルトを太股に巻きつけ開脚動作により球体を圧迫し骨盤底筋群の筋力アップを図ろうとするものであるが、このような用具を用いての鍛錬法は本人の意思に基づく自発的な治療法であるため、かなりの意思と根気が要求され、目的を達成しないまま放置されてしまうものでしかなかった。
【課題を解決するための手段】
【０００５】
肛門付近から大腿部にかけて挟みやすいように弓型状に曲がり臀部の溝に納まる薄さの弓型物体に筋力の個人差や鍛錬の目標に応じて重さが調節可能なようにおもりを入れられるようにし、より自由に重さを設定できるようおもりの吊り下げもできるようにする。又、器具自体には磁気を発生する磁気発生体を取り付ける。
【発明の効果】
【０００６】
本発明によって明確な鍛錬意識と筋肉を締める感覚が得られ、何も器具なしに骨盤底筋
を締めたりするより鍛えやすい。日常生活の中で歯磨きや髪をセットする間や家事をしながらなど容易に取り組め、落下しようとする力に対抗して自然に力が入る為毎日欠かさず鍛錬することが苦痛や根気を伴わないので継続しやすい。又筋力の個人差への対応や、運動強度をより高めたい場合の対応として重さを調節できることも可能にすることによってより有効な手段となり得る。又磁気で神経を刺激することで、より骨盤底筋群を強くするという相乗効果も期待できる。医学的に言われる骨盤底筋群を強化すると得られる効果として尿失禁、産後などによる膣のゆるみ、股関節痛、Ｏ脚等の改善、ヒップアップやウエストラインの変化に資することが期待できる。
【図面の簡単な説明】
【０００７】
【図１】本発明の構造例を示す概念図
【図２】本発明による器具を用いた使用の概念図
【図３】本発明品の正面図
【図４】同側面図
【図５】本発明の別発案の概念図
【発明を実施するための形態】
【０００８】
本発明を実施するための形態としての本発明の構造を肛門付近から大腿部にかけて挟みやすいように弓型状に曲がり臀部の溝に納まる薄さの弓型物体に重さ調節手段を有する器具の実施例となる図面に基づいて説明する。
【０００９】
図面１は本発明の構造例を示す概念図である。弓型の本体器具のフタ固定ネジ３を回し、フタ支軸部２を軸にしてフタ１を開けて器具内部を示したものである。
【００１０】
図面２は本発明による本体を用いた使用の概念図である。本体器具を肛門付近から大腿部にかけて挟み、落下させないように肛門部の筋肉を締める。その状態で短時間保持又は歩行することで骨盤底筋が徐々に鍛えられ、尿失禁等の改善を期待できる。
【００１１】
本発明使用に際しては筋力の個人差や鍛錬の目標に応じて重さを調節できるよう、おもり入れ空間５を、さらにより自由に重さを設定できるよう追加おもり吊り下げ穴７を設けた。おもり入れ空間５にはコイン６をいれてもいいし、おもり用として鉛などでつくってもいい。同様に追加おもり吊り下げ穴７用にもリング状のおもりを用意してもいい
【００１２】
本体器具は素肌の上から使用してもいいが衣類の上から使用することを前提として、本体器具の床への落下防止として衣類に留めることができる衣類留めフッククリップ１０を設けた。衣類留めフッククリップ１０には紐様部材取り付け穴８に取り付けられた紐様部材９が付いていて、臀部から本体器具を落としてしまっても床に落下するのを防ぐことができる。
【００１３】
図３は本体器具のふた固定ネジ３とふた固定ネジ穴４を合わせネジを締めてふたを閉じた状態の正面図である。図４は同側面図である。
【００１４】
図１のおもり入れ空間５には磁気を発する磁気発生体１１を取り付けており、磁気で神経を刺激することで骨盤底筋をより強くするという相乗効果も期待できる。
【００１５】
図５は本発明の別発案の概念図である。肛門付近から大腿部にかけて挟みやすいようにして弓型に曲がり臀部の溝に納まる薄さの形状をし、追加おもり吊り下げ穴７、紐様部材取り付け穴８、紐様部材９、衣類留めフッククリップ１０、磁気発生体１１からなる弓型物体。本体はふたの開閉部分を設けないため、水洗いが容易であることが利点である。磁気発生体１１は本体両面表面部に付着させる。おもり調節手段としておもりはめ込み空間１２に必要に応じた個数を取り付ける。尚、本体の材質としてはプラスチックやアルミニ
ウム等を使用する。
【符号の説明】
【００１６】
１  フタ
２  フタ支軸部
３  フタ固定ネジ
４  フタ固定ネジ穴
５  おもり入れ空間
６  コイン
７  追加おもり吊り下げ穴
８  紐様部材取り付け穴
９  紐様部材穴
１０衣服留めフッククリップ
１１磁気発生体
１２はめ込み式おもり
１３はめ込み式おもりはめ込み部
【図１】
2010279401.tif 000003
【図２】
2010279401.tif 000004
【図３】
2010279401.tif 000005
【図４】
2010279401.tif 000006
【図５】
2010279401.tif 000007